【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
ビデオについての情報を決定する方法であって、前記方法は、
クライアントデバイスのプロセッサが、ここで、前記プロセッサは、回路中にインプリメントされ、１つまたは複数の最も関心のある領域を表すデータからビデオデータのイメージの複数の領域のうちの前記１つまたは複数の最も関心のある領域を決定することと、
前記プロセッサが、前記１つまたは複数の最も関心のある領域を表す前記データを使用して前記１つまたは複数の最も関心のある領域を指定する要求を生成することと、
前記プロセッサが、サーバデバイスに前記１つまたは複数の最も関心のある領域を指定する前記要求を出力することと、
前記プロセッサが、前記サーバデバイスから、前記１つまたは複数の最も関心のある領域についてのビデオデータを受信することと、
前記プロセッサが、前記１つまたは複数の最も関心のある領域を指定する前記要求を出力した後に、前記サーバデバイスに前記イメージの１つまたは複数の他の領域を指定する要求を出力することと、
前記プロセッサが、前記サーバデバイスから、前記１つまたは複数の他の領域についてのビデオデータを受信することと
を備える、方法。
【請求項２】
前記プロセッサが、ユーザの視野（ＦＯＶ）を使用して前記イメージの前記１つまたは複数の他の領域を指定する前記要求を生成すること
をさらに備える、請求項１に記載の方法。
【請求項３】
前記１つまたは複数の最も関心のある領域を決定することは、補足エンハンスメント情報（ＳＥＩ）メッセージから最も関心のある領域データを抽出することを備え、前記最も関心のある領域データは、前記１つまたは複数の最も関心のある領域を表す、請求項１に記載の方法。
【請求項４】
前記１つまたは複数の最も関心のある領域を決定することは、ファイルフォーマットヘッダ情報中に含まれるサンプルグループボックスから最も関心のある領域データを抽出することを備え、前記最も関心のある領域データは、前記１つまたは複数の最も関心のある領域を表す、請求項１に記載の方法。
【請求項５】
前記１つまたは複数の最も関心のある領域を決定することは、ファイルフォーマットヘッダ情報中に含まれるサンプルテーブルボックスまたはトラックフラグメントから最も関心のある領域データを抽出することを備え、前記最も関心のある領域データは、前記１つまたは複数の最も関心のある領域を表す、請求項１に記載の方法。
【請求項６】
前記１つまたは複数の最も関心のある領域を決定することは、ファイルフォーマットヘッダ情報中に含まれるセグメントインデックスボックスから最も関心のある領域データを抽出することを備え、前記最も関心のある領域データは、前記１つまたは複数の最も関心のある領域を表す、請求項１に記載の方法。
【請求項７】
前記１つまたは複数の最も関心のある領域を決定することは、ＨＴＴＰを通した動的適応型ストリーミング（ＤＡＳＨ）メディアプレゼンテーション記述（ＭＰＤ）から最も関心のある領域データを抽出することを備え、前記最も関心のある領域データは、前記１つまたは複数の最も関心のある領域を表す、請求項１に記載の方法。
【請求項８】
前記１つまたは複数の最も関心のある領域を決定することは、前記１つまたは複数の最も関心のある領域の各最も関心のある領域について、ベース領域に対するそれぞれの最も関心のある領域の位置と、前記ベース領域に対する前記それぞれの最も関心のある領域のサイズとを表す複数のシンタックス要素についての複数の値を決定することを備える、請求項１に記載の方法。
【請求項９】
前記複数のシンタックス要素についての前記複数の値を決定することは、前記１つまたは複数の最も関心のある領域の各最も関心のある領域について、
前記ベース領域に対する前記それぞれの最も関心のある領域の左水平オフセットを表す第１のシンタックス要素についての値を抽出することと、
前記ベース領域に対する前記それぞれの最も関心のある領域の上部垂直オフセットを表す第２のシンタックス要素についての値を抽出することと、
前記ベース領域に対する前記それぞれの最も関心のある領域の幅を表す第３のシンタックス要素についての値を抽出することと、
前記ベース領域に対する前記それぞれの最も関心のある領域の高さを表す第４のシンタックス要素についての値を抽出することと
を備える、請求項７に記載の方法。
【請求項１０】
前記１つまたは複数の最も関心のある領域を決定することは、前記イメージの１つまたは複数のタイルを表す１つまたは複数のタイル識別子を抽出することを備え、前記１つまたは複数のタイルは、前記１つまたは複数の最も関心のある領域と空間的にコロケートされる、請求項１に記載の方法。
【請求項１１】
前記１つまたは複数の最も関心のある領域を決定することは、前記イメージの前記複数の領域のうちの１つまたは複数の領域を表す１つまたは複数のグループ識別子を抽出することを備える、請求項１に記載の方法。
【請求項１２】
前記１つまたは複数の最も関心のある領域を決定することは、１つまたは複数のトラックを表す１つまたは複数のトラック識別子を抽出することを備え、前記１つまたは複数のトラックの各トラックは、前記１つまたは複数の最も関心のある領域についてのビデオコーディングレイヤ（ＶＣＬ）データを含む、請求項１に記載の方法。
【請求項１３】
前記１つまたは複数の最も関心のある領域を決定することは、前記イメージの１つまたは複数のリプレゼンテーションを表す１つまたは複数のリプレゼンテーション識別子を抽出することを備え、前記１つまたは複数のリプレゼンテーションの各リプレゼンテーションは、前記１つまたは複数の最も関心のある領域についてのビデオコーディングレイヤ（ＶＣＬ）データを含む、請求項１に記載の方法。
【請求項１４】
前記１つまたは複数の最も関心のある領域を決定することは、
１つまたは複数のベースタイルトラックを表す１つまたは複数のベースタイルトラック識別子を抽出することと、
前記１つまたは複数のベースタイルトラック識別子を使用して前記１つまたは複数のベースタイルトラックから最も関心のある領域データを抽出することと
を備える、請求項１に記載の方法。
【請求項１５】
前記１つまたは複数の最も関心のある領域を決定することは、イメージ順序カウントを表す１つまたは複数のシンタックス要素を決定することを備え、前記イメージ順序カウントは、前記１つまたは複数の最も関心のある領域を表す前記データが前記イメージに適用されることを示す、請求項１に記載の方法。
【請求項１６】
ビデオデータについての情報を決定するためのデバイスであって、前記デバイスは、
１つまたは複数の最も関心のある領域を表すデータからビデオデータのイメージの複数の領域のうちの前記１つまたは複数の最も関心のある領域を決定することと、
前記１つまたは複数の最も関心のある領域を表す前記データを使用して前記１つまたは複数の最も関心のある領域を指定する要求を生成することと、
サーバデバイスに前記１つまたは複数の最も関心のある領域を指定する前記要求を出力することと、
前記サーバデバイスから、前記１つまたは複数の最も関心のある領域についてのビデオデータを受信することと、
前記１つまたは複数の最も関心のある領域を指定する前記要求を出力した後に、前記サーバデバイスに前記イメージの１つまたは複数の他の領域を指定する要求を出力することと、
前記サーバデバイスから、前記１つまたは複数の他の領域についてのビデオデータを受信することと
を行うように構成された、回路中にインプリメントされた１つまたは複数のプロセッサを備える、デバイス。
【請求項１７】
前記１つまたは複数の最も関心のある領域を決定するために、前記１つまたは複数のプロセッサは、補足エンハンスメント情報（ＳＥＩ）メッセージから最も関心のある領域データを抽出するようにさらに構成され、前記最も関心のある領域データは、前記１つまたは複数の最も関心のある領域を表す、請求項１６に記載のデバイス。
【請求項１８】
前記１つまたは複数の最も関心のある領域を決定するために、前記１つまたは複数のプロセッサは、ファイルフォーマットヘッダ情報中に含まれるサンプルグループボックス、サンプルテーブルボックス、トラックフラグメント、またはセグメントインデックスボックスから最も関心のある領域データを抽出するようにさらに構成され、前記最も関心のある領域データは、前記１つまたは複数の最も関心のある領域を表す、請求項１６に記載のデバイス。
【請求項１９】
前記１つまたは複数の最も関心のある領域を決定するために、前記１つまたは複数のプロセッサは、ＨＴＴＰを通した動的適応型ストリーミング（ＤＡＳＨ）メディアプレゼンテーション記述（ＭＰＤ）から最も関心のある領域データを抽出するようにさらに構成され、前記最も関心のある領域データは、前記１つまたは複数の最も関心のある領域を表す、請求項１６に記載のデバイス。
【請求項２０】
前記１つまたは複数の最も関心のある領域を決定するために、前記１つまたは複数のプロセッサは、前記１つまたは複数の最も関心のある領域の各最も関心のある領域について、ベース領域に対するそれぞれの最も関心のある領域の位置と、前記ベース領域に対する前記それぞれの最も関心のある領域のサイズとを表す複数のシンタックス要素についての複数の値を決定するようにさらに構成される、請求項１６に記載のデバイス。
【請求項２１】
前記複数のシンタックス要素についての前記複数の値を決定するために、前記１つまたは複数のプロセッサは、前記１つまたは複数の最も関心のある領域の各最も関心のある領域について、
前記ベース領域に対する前記それぞれの最も関心のある領域の左水平オフセットを表す第１のシンタックス要素についての値を抽出することと、
前記ベース領域に対する前記それぞれの最も関心のある領域の上部垂直オフセットを表す第２のシンタックス要素についての値を抽出することと、
前記ベース領域に対する前記それぞれの最も関心のある領域の幅を表す第３のシンタックス要素についての値を抽出することと、
前記ベース領域に対する前記それぞれの最も関心のある領域の高さを表す第４のシンタックス要素についての値を抽出することと
を行うようにさらに構成される、請求項２０に記載のデバイス。
【請求項２２】
前記１つまたは複数の最も関心のある領域を決定するために、前記１つまたは複数のプロセッサは、前記イメージの１つまたは複数のタイルを表す１つまたは複数のタイル識別子を抽出するようにさらに構成され、前記１つまたは複数のタイルは、前記１つまたは複数の最も関心のある領域と空間的にコロケートされる、請求項１６に記載のデバイス。
【請求項２３】
前記１つまたは複数の最も関心のある領域を決定するために、前記１つまたは複数のプロセッサは、前記イメージの前記複数の領域のうちの１つまたは複数の領域を表す１つまたは複数のグループ識別子を抽出するようにさらに構成される、請求項１６に記載のデバイス。
【請求項２４】
前記１つまたは複数の最も関心のある領域を決定するために、前記１つまたは複数のプロセッサは、１つまたは複数のトラックを表す１つまたは複数のトラック識別子を抽出するようにさらに構成され、前記１つまたは複数のトラックの各トラックは、前記１つまたは複数の最も関心のある領域についてのビデオコーディングレイヤ（ＶＣＬ）データを含む、請求項１６に記載のデバイス。
【請求項２５】
前記１つまたは複数の最も関心のある領域を決定するために、前記１つまたは複数のプロセッサは、前記イメージの１つまたは複数のリプレゼンテーションを表す１つまたは複数のリプレゼンテーション識別子を抽出するようにさらに構成され、前記１つまたは複数のリプレゼンテーションの各リプレゼンテーションは、前記１つまたは複数の最も関心のある領域についてのビデオコーディングレイヤ（ＶＣＬ）データを含む、請求項１６に記載のデバイス。
【請求項２６】
前記１つまたは複数の最も関心のある領域を決定するために、前記１つまたは複数のプロセッサは、
１つまたは複数のベースタイルトラックを表す１つまたは複数のベースタイルトラック識別子を抽出することと、
前記１つまたは複数のベースタイルトラック識別子を使用して前記１つまたは複数のベースタイルトラックから最も関心のある領域データを抽出することと
を行うようにさらに構成される、請求項１６に記載のデバイス。
【請求項２７】
前記１つまたは複数の最も関心のある領域を決定するために、前記１つまたは複数のプロセッサは、イメージ順序カウントを表す１つまたは複数のシンタックス要素を決定するようにさらに構成され、前記イメージ順序カウントは、前記１つまたは複数の最も関心のある領域を表す前記データが前記イメージに適用されることを示す、請求項１６に記載のデバイス。
【請求項２８】
ビデオデータについての情報を決定するためのデバイスであって、前記デバイスは、
１つまたは複数の最も関心のある領域を表すデータからビデオデータのイメージの複数の領域のうちの前記１つまたは複数の最も関心のある領域を決定するための手段と、
前記１つまたは複数の最も関心のある領域を表す前記データを使用して前記１つまたは複数の最も関心のある領域を指定する要求を生成する手段と、
サーバデバイスに前記１つまたは複数の最も関心のある領域を指定する前記要求を出力するための手段と、
前記サーバデバイスから、前記１つまたは複数の最も関心のある領域についてのビデオデータを受信するための手段と、
前記１つまたは複数の最も関心のある領域を指定する前記要求を出力した後に、前記サーバデバイスに前記イメージの１つまたは複数の他の領域を指定する要求を出力するための手段と、
前記サーバデバイスから、前記１つまたは複数の他の領域についてのビデオデータを受信するための手段と
を備える、デバイス。
【請求項２９】
実行されると、プロセッサに、
１つまたは複数の最も関心のある領域を表すデータからビデオデータのイメージの複数の領域のうちの前記１つまたは複数の最も関心のある領域を決定することと、
前記１つまたは複数の最も関心のある領域を表す前記データを使用して前記１つまたは複数の最も関心のある領域を指定する要求を生成することと、
サーバデバイスに前記１つまたは複数の最も関心のある領域を指定する前記要求を出力することと、
前記サーバデバイスから、前記１つまたは複数の最も関心のある領域についてのビデオデータを受信することと、
前記１つまたは複数の最も関心のある領域を指定する前記要求を出力した後に、前記サーバデバイスに前記イメージの１つまたは複数の他の領域を指定する要求を出力することと、
前記サーバデバイスから、前記１つまたは複数の他の領域についてのビデオデータを受信することと
を行わせる命令を記憶した、非一時的コンピュータ可読記憶媒体。
【請求項３０】
ビデオデータについての情報をシグナリングする方法であって、前記方法は、
ソースデバイスのプロセッサが、ここで、前記プロセッサは、回路中にインプリメントされ、ビデオデータのイメージの複数の領域のうちの１つまたは複数の最も関心のある領域を決定することと、前記１つまたは複数の最も関心のある領域は、クライアントデバイスによって検索される可能性が最も高い１つまたは複数の領域を備える、
前記プロセッサが、前記クライアントデバイスに、前記１つまたは複数の最も関心のある領域を表すデータを出力することと、ここにおいて、前記１つまたは複数の最も関心のある領域を表す前記データは、前記ビデオデータを含むビットストリーム中に含まれる、
前記プロセッサが、前記クライアントデバイスから、前記１つまたは複数の最も関心のある領域についてのビデオデータを求める要求を受信することと、
前記プロセッサが、前記クライアントデバイスに、前記１つまたは複数の最も関心のある領域を表す前記データを出力した後に、前記１つまたは複数の最も関心のある領域についての前記ビデオデータを出力することと、
前記プロセッサが、前記クライアントデバイスから、前記イメージの１つまたは複数の他の領域についてのビデオデータを求める要求を受信することと、
前記プロセッサが、前記クライアントデバイスに、前記１つまたは複数の最も関心のある領域についての前記ビデオデータを出力した後に、前記イメージの前記１つまたは複数の他の領域についての前記ビデオデータを出力することと
を備える、方法。
【請求項３１】
前記１つまたは複数の最も関心のある領域を表す前記データを出力することは、最も関心のある領域データを含む補足エンハンスメント情報（ＳＥＩ）メッセージを生成することを備え、前記最も関心のある領域データは、前記１つまたは複数の最も関心のある領域を表す、請求項３０に記載の方法。
【請求項３２】
前記１つまたは複数の最も関心のある領域を表す前記データを出力することは、ファイルフォーマットヘッダ情報中で、最も関心のある領域データを含むサンプルグループボックス、サンプルテーブルボックス、トラックフラグメント、またはセグメントインデックスボックスを生成することを備え、前記最も関心のある領域データは、前記１つまたは複数の最も関心のある領域を表す、請求項３０に記載の方法。
【請求項３３】
前記１つまたは複数の最も関心のある領域を表す前記データを出力することは、最も関心のある領域データを含むＨＴＴＰを通した動的適応型ストリーミング（ＤＡＳＨ）メディアプレゼンテーション記述（ＭＰＤ）を生成することを備え、前記最も関心のある領域データは、前記１つまたは複数の最も関心のある領域を表す、請求項３０に記載の方法。
【請求項３４】
前記１つまたは複数の最も関心のある領域を表す前記データを出力することは、前記１つまたは複数の最も関心のある領域の各最も関心のある領域について、ベース領域に対するそれぞれの最も関心のある領域の位置と、前記ベース領域に対する前記それぞれの最も関心のある領域のサイズとを表す複数のシンタックス要素についての複数の値を生成する、請求項３０に記載の方法。
【請求項３５】
前記複数のシンタックス要素についての前記複数の値を出力することは、前記１つまたは複数の最も関心のある領域の各最も関心のある領域について、
前記ベース領域に対する前記それぞれの最も関心のある領域の左水平オフセットを表す第１のシンタックス要素についての値を生成することと、
前記ベース領域に対する前記それぞれの最も関心のある領域の上部垂直オフセットを表す第２のシンタックス要素についての値を生成することと、
前記ベース領域に対する前記それぞれの最も関心のある領域の幅を表す第３のシンタックス要素についての値を生成することと、
前記ベース領域に対する前記それぞれの最も関心のある領域の高さを表す第４のシンタックス要素についての値を生成することと
を備える、請求項３４に記載の方法。
【請求項３６】
前記１つまたは複数の最も関心のある領域を表す前記データを出力することは、前記イメージの１つまたは複数のタイルを表す１つまたは複数のタイル識別子を生成することを備え、前記１つまたは複数のタイルは、前記１つまたは複数の最も関心のある領域と空間的にコロケートされる、請求項３０に記載の方法。
【請求項３７】
前記１つまたは複数の最も関心のある領域を表す前記データを出力することは、前記イメージの前記複数の領域のうちの１つまたは複数の領域を表す１つまたは複数のグループ識別子を生成することを備える、請求項３０に記載の方法。
【請求項３８】
前記１つまたは複数の最も関心のある領域を表す前記データを出力することは、１つまたは複数のトラックを表す１つまたは複数のトラック識別子を生成することを備え、前記１つまたは複数のトラックの各トラックは、前記１つまたは複数の最も関心のある領域についてのビデオコーディングレイヤ（ＶＣＬ）データを含む、請求項３０に記載の方法。
【請求項３９】
前記１つまたは複数の最も関心のある領域を表す前記データを出力することは、前記イメージの１つまたは複数のリプレゼンテーションを表す１つまたは複数のリプレゼンテーション識別子を生成することを備え、前記１つまたは複数のリプレゼンテーションの各リプレゼンテーションは、前記１つまたは複数の最も関心のある領域についてのビデオコーディングレイヤ（ＶＣＬ）データを含む、請求項３０に記載の方法。
【請求項４０】
前記１つまたは複数の最も関心のある領域を表す前記データを出力することは、
１つまたは複数のベースタイルトラックにおいて最も関心のある領域データを生成することと、
前記１つまたは複数の最も関心のある領域を表す前記データにおいて、前記１つまたは複数のベースタイルトラックを表す１つまたは複数のベースタイルトラック識別子を生成することと
を備える、請求項３０に記載の方法。
【請求項４１】
前記１つまたは複数の最も関心のある領域を表す前記データを出力することは、イメージ順序カウントを表す１つまたは複数のシンタックス要素を生成することを備え、前記イメージ順序カウントは、前記１つまたは複数の最も関心のある領域を表す前記データが前記イメージに適用されることを示す、請求項３０に記載の方法。
【請求項４２】
前記１つまたは複数の最も関心のある領域を決定することは、ディレクターの意図またはユーザ統計のうちの１つまたは複数を使用して前記１つまたは複数の最も関心のある領域を決定することを備える、請求項３０に記載の方法。
【請求項４３】
ビデオデータについての情報をシグナリングするためのデバイスであって、前記デバイスは、
ビデオデータのイメージの複数の領域のうちの１つまたは複数の最も関心のある領域を決定することと、前記１つまたは複数の最も関心のある領域は、クライアントデバイスによって検索される可能性が最も高い１つまたは複数の領域を備える、
前記クライアントデバイスに、前記１つまたは複数の最も関心のある領域を表すデータを出力することと、ここにおいて、前記１つまたは複数の最も関心のある領域を表す前記データは、前記ビデオデータを含むビットストリーム中に含まれる、
前記クライアントデバイスから、前記１つまたは複数の最も関心のある領域についてのビデオデータを求める要求を受信することと、
前記クライアントデバイスに、前記１つまたは複数の最も関心のある領域を表す前記データを出力した後に、前記１つまたは複数の最も関心のある領域についての前記ビデオデータを出力することと、
前記クライアントデバイスから、前記イメージの１つまたは複数の他の領域についてのビデオデータを求める要求を受信することと、
前記クライアントデバイスに、前記１つまたは複数の最も関心のある領域についての前記ビデオデータを出力した後に、前記イメージの前記１つまたは複数の他の領域についての前記ビデオデータを出力することと
を行うように構成された、回路中にインプリメントされた１つまたは複数のプロセッサを備える、デバイス。
【請求項４４】
前記１つまたは複数の最も関心のある領域を表す前記データを出力するために、前記１つまたは複数のプロセッサは、最も関心のある領域データを含む補足エンハンスメント情報（ＳＥＩ）メッセージを生成するようにさらに構成され、前記最も関心のある領域データは、前記１つまたは複数の最も関心のある領域を表す、請求項４３に記載のデバイス。
【請求項４５】
前記１つまたは複数の最も関心のある領域を表す前記データを出力するために、前記１つまたは複数のプロセッサは、ファイルフォーマットヘッダ情報中で、最も関心のある領域データを含むサンプルグループボックス、サンプルテーブルボックス、トラックフラグメント、またはセグメントインデックスボックスを生成するようにさらに構成され、前記最も関心のある領域データは、前記１つまたは複数の最も関心のある領域を表す、請求項４３に記載のデバイス。
【請求項４６】
前記１つまたは複数の最も関心のある領域を表す前記データを出力するために、前記１つまたは複数のプロセッサは、最も関心のある領域データを含むＨＴＴＰを通した動的適応型ストリーミング（ＤＡＳＨ）メディアプレゼンテーション記述（ＭＰＤ）を生成するようにさらに構成され、前記最も関心のある領域データは、前記１つまたは複数の最も関心のある領域を表す、請求項４３に記載のデバイス。
【請求項４７】
前記１つまたは複数の最も関心のある領域を表す前記データを出力するために、前記１つまたは複数のプロセッサは、前記１つまたは複数の最も関心のある領域の各最も関心のある領域について、ベース領域に対するそれぞれの最も関心のある領域の位置と、前記ベース領域に対する前記それぞれの最も関心のある領域のサイズとを表す複数のシンタックス要素についての複数の値を生成するようにさらに構成される、請求項４３に記載のデバイス。
【請求項４８】
前記複数のシンタックス要素についての前記複数の値を出力するために、前記１つまたは複数のプロセッサは、
前記ベース領域に対する前記それぞれの最も関心のある領域の左水平オフセットを表す第１のシンタックス要素についての値を生成することと、
前記ベース領域に対する前記それぞれの最も関心のある領域の上部垂直オフセットを表す第２のシンタックス要素についての値を生成することと、
前記ベース領域に対する前記それぞれの最も関心のある領域の幅を表す第３のシンタックス要素についての値を生成することと、
前記ベース領域に対する前記それぞれの最も関心のある領域の高さを表す第４のシンタックス要素についての値を生成することと
を行うようにさらに構成される、請求項４７に記載のデバイス。
【請求項４９】
前記１つまたは複数の最も関心のある領域を表す前記データを出力するために、前記１つまたは複数のプロセッサは、前記イメージの１つまたは複数のタイルを表す１つまたは複数のタイル識別子を生成するようにさらに構成され、前記１つまたは複数のタイルは、前記１つまたは複数の最も関心のある領域と空間的にコロケートされる、請求項４３に記載のデバイス。
【請求項５０】
前記１つまたは複数の最も関心のある領域を表す前記データを出力するために、前記１つまたは複数のプロセッサは、前記イメージの前記複数の領域のうちの１つまたは複数の領域を表す１つまたは複数のグループ識別子を生成するようにさらに構成される、請求項４３に記載のデバイス。
【請求項５１】
前記１つまたは複数の最も関心のある領域を表す前記データを出力するために、前記１つまたは複数のプロセッサは、１つまたは複数のトラックを表す１つまたは複数のトラック識別子を生成するようにさらに構成され、前記１つまたは複数のトラックの各トラックは、前記１つまたは複数の最も関心のある領域についてのビデオコーディングレイヤ（ＶＣＬ）データを含む、請求項４３に記載のデバイス。
【請求項５２】
前記１つまたは複数の最も関心のある領域を表す前記データを出力するために、前記１つまたは複数のプロセッサは、前記イメージの１つまたは複数のリプレゼンテーションを表す１つまたは複数のリプレゼンテーション識別子を生成するようにさらに構成され、前記１つまたは複数のリプレゼンテーションの各リプレゼンテーションは、前記１つまたは複数の最も関心のある領域についてのビデオコーディングレイヤ（ＶＣＬ）データを含む、請求項４３に記載のデバイス。
【請求項５３】
前記１つまたは複数の最も関心のある領域を表す前記データを出力するために、前記１つまたは複数のプロセッサは、
１つまたは複数のベースタイルトラックにおいて最も関心のある領域データを生成することと、
前記１つまたは複数の最も関心のある領域を表す前記データにおいて、前記１つまたは複数のベースタイルトラックを表す１つまたは複数のベースタイルトラック識別子を生成することと
を行うようにさらに構成される、請求項４３に記載のデバイス。
【請求項５４】
前記１つまたは複数の最も関心のある領域を表す前記データを出力するために、前記１つまたは複数のプロセッサは、イメージ順序カウントを表す１つまたは複数のシンタックス要素を生成するようにさらに構成され、前記イメージ順序カウントは、前記１つまたは複数の最も関心のある領域を表す前記データが前記イメージに適用されることを示す、請求項４３に記載のデバイス。
【請求項５５】
ビデオデータについての情報をシグナリングするためのデバイスであって、前記デバイスは、
ビデオデータのイメージの複数の領域のうちの１つまたは複数の最も関心のある領域を決定するための手段と、前記１つまたは複数の最も関心のある領域は、クライアントデバイスによって検索される可能性が最も高い１つまたは複数の領域を備える、
前記クライアントデバイスに、前記１つまたは複数の最も関心のある領域を表すデータを出力するための手段と、ここにおいて、前記１つまたは複数の最も関心のある領域を表す前記データは、前記ビデオデータを含むビットストリーム中に含まれる、
前記クライアントデバイスから、前記１つまたは複数の最も関心のある領域についてのビデオデータを求める要求を受信するための手段と、
前記クライアントデバイスに、前記１つまたは複数の最も関心のある領域を表す前記データを出力した後に、前記１つまたは複数の最も関心のある領域についての前記ビデオデータを出力するための手段と、
前記クライアントデバイスから、前記イメージの１つまたは複数の他の領域についてのビデオデータを求める要求を受信するための手段と、
前記クライアントデバイスに、前記１つまたは複数の最も関心のある領域についての前記ビデオデータを出力した後に、前記イメージの前記１つまたは複数の他の領域についての前記ビデオデータを出力するための手段と
を備える、デバイス。
【請求項５６】
実行されると、プロセッサに、
ビデオデータのイメージの複数の領域のうちの１つまたは複数の最も関心のある領域を決定することと、前記１つまたは複数の最も関心のある領域は、クライアントデバイスによって検索される可能性が最も高い１つまたは複数の領域を備える、
前記クライアントデバイスに、前記１つまたは複数の最も関心のある領域を表すデータを出力することと、ここにおいて、前記１つまたは複数の最も関心のある領域を表す前記データは、前記ビデオデータを含むビットストリーム中に含まれる、
前記クライアントデバイスから、前記１つまたは複数の最も関心のある領域についてのビデオデータを求める要求を受信することと、
前記クライアントデバイスに、前記１つまたは複数の最も関心のある領域を表す前記データを出力した後に、前記１つまたは複数の最も関心のある領域についての前記ビデオデータを出力することと、
前記クライアントデバイスから、前記イメージの１つまたは複数の他の領域についてのビデオデータを求める要求を受信することと、
前記クライアントデバイスに、前記１つまたは複数の最も関心のある領域についての前記ビデオデータを出力した後に、前記イメージの前記１つまたは複数の他の領域についての前記ビデオデータを出力することと
を行わせる命令を記憶した、非一時的コンピュータ可読記憶媒体。